(57)【要約】      （修正有）【課題】不正開封されたか否かを、シール基材の分割用ミシン目の破断、またはシール基材と補助基材の剥離の有無で視覚的に容易に識別でき、さらに、正規に開封した場合は、貼付面からきれいに剥がれて、容器を再利用する際の美感を損なわない封止用シールを提供する。【解決手段】封止用シール１は、本体と蓋に跨るようにして容器に貼付するものであって、シール基材２にこれを各分割部２ａ，２ｂに二分するとともに、剥離開始端を形成する分割用ミシン目３を設け、シール基材２の各分割部２ａ，２ｂの一面には、粘着部５によって分割用ミシン目３とは反対側端部を除いて補助基材６を貼付し、この補助基材６と粘着部５との間には、一旦剥離すると再貼付不能な層間剥離層８を補助基材６の分割用ミシン目３とは反対側端に沿って設け、補助基材６の他面には粘着部１０を設けて剥離紙１１で被覆する。【選択図】図１
2011189971.tif 000002
【特許請求の範囲】
【請求項１】
本体と蓋に跨るようにして容器に貼付する封止用シールであって、シール基材にこれを各分割部に二分するとともに、剥離開始端を形成する分割用ミシン目を設け、前記シール基材の一面には粘着部を設け、この粘着部によって前記シール基材の各分割部に、少なくとも前記分割用ミシン目とは反対側端部を除いて補助基材の一面を貼付し、この補助基材と前記粘着部との間には部分的に、一旦剥離すると再貼付不能な層間剥離層を前記補助基材の前記分割用ミシン目とは反対側端に沿って設ける一方、前記補助基材の他面には粘着部を設けたことを特徴とする封止用シール。
【請求項２】
前記補助基材は、前記分割用ミシン目を跨ぐよう設けた一つの基材からなるとともに、前記分割用ミシン目に対応位置して切断部を設けたことを特徴とする請求項１記載の封止用シール。
【発明の詳細な説明】
【技術分野】
【０００１】
本発明は、本体と蓋からなる容器の封止用シールに関し、特に、再利用する容器に使用して好適であるとともに、不正に開封したことを視覚的に容易に識別可能な封止用シールに関する。
【背景技術】
【０００２】
従来、この種の封止用シールとしては、不正に剥がした場合には破断されて、初期貼付状態に復元不能とし、痕跡が貼付面に残ることにより不正に開封されたことを識別可能とする構成が知られている。例えば、シール基材を分割用ミシン目で２等分するとともに、裏面には貼付用の粘着剤層を設け、各分割部分に、各端部から前記分割用ミシン目方向に剥がした場合にはシール基材を破くようにする一方、前記分割用ミシン目を破断して、ここから端部方向に剥がした場合にはシール基材を破かないようにする不正開封防止用切断線を形成してなり、前記分割用ミシン目を容器の本体と蓋の境に対応させて貼付して使用する封止用シールがある（特許文献１）。
【０００３】
また、例えば、シール基材を分割用ミシン目で２等分するとともに、裏面には貼付用の粘着剤層を設け、各端部には不正開封防止用切り込みを形成し、各端部から前記分割用ミシン目方向に剥がした場合には不正開封防止用切り込み部分からシール基材が破けてしまう一方、前記分割用ミシン目を破断して、ここから端部方向に剥がした場合には不正開封防止用切り込み部分が破断しないようになし、前記分割用ミシン目を容器の本体と蓋の境に対応させて貼付して使用する封止用シールがある（特許文献２）。
【先行技術文献】
【特許文献】
【０００４】
【特許文献１】特開２００４−０８５６１４号公報
【特許文献２】特開２００４−２０５９５５号公報
【発明の概要】
【発明が解決しようとする課題】
【０００５】
しかし、これら従来の封止用シールは、いずれも不正開封防止用の切断線や切り込み部分の切断状態によって、不正開封の有無を識別するのであるが、前記切断線や切り込み部分は粘着剤層に対応して設けられているため、前記粘着剤層を形成する粘着剤の劣化にともない、前記切断線や切り込み部分から剥離してしまい、不正開封防止の機能を果たすことができないという不都合がある。また、これら従来の封止用シールは、不用意な取り扱いによって、前記切断線や切り込み部分が切断してしまう場合があり、この場合にも不正開封防止の機能を果たすことができないという不都合がある。本発明は、このような不都合を解消した封止用シールを提供することを目的とする。
【課題を解決するための手段】
【０００６】
この目的を達成するため本発明の請求項１に係る封止用シールは、本体と蓋に跨るようにして容器に貼付する封止用シールであって、シール基材にこれを各分割部に二分するとともに、剥離開始端を形成する分割用ミシン目を設け、前記シール基材の一面には粘着部を設け、この粘着部によって前記シール基材の各分割部に、少なくとも前記分割用ミシン目とは反対側端部を除いて補助基材の一面を貼付し、この補助基材と前記粘着部との間には部分的に、一旦剥離すると再貼付不能な層間剥離層を前記補助基材の前記分割用ミシン目とは反対側端に沿って設ける一方、前記補助基材の他面には粘着部を設けたものである。
【０００７】
また、本発明の請求項２に係る封止用シールは、請求項１の構成において、前記補助基材は、前記分割用ミシン目を跨ぐよう設けた一つの基材からなるとともに、前記分割用ミシン目に対応位置して切断部を設けたものである。
【発明の効果】
【０００８】
本発明に係る封止用シールによれば、不正開封されたか否かを、分割用ミシン目の破断の有無で視覚的に容易に識別でき、また、分割用ミシン目が破断されていない場合でも、分割用ミシン目とは反対側から不正開封されたか否かを、層間剥離層における剥離の有無で視覚的に容易に識別でき、さらに、開封後には、容器に貼付されたシール基材を補助基材とともに分割用ミシン目側からきれいに剥がすことができるので、貼付していた容器を再利用する際の美感を損なわないという効果を奏する。
【図面の簡単な説明】
【０００９】
【図１】本発明の一実施形態における封止用シールの表面側を示す斜視図。
【図２】層間剥離層部分を示す拡大断面図。
【図３】剥離紙を剥離した裏面側を示す平面図。
【図４】容器に貼付した状態を示す斜視図。
【図５】不正開封状態を示す拡大斜視図。
【図６】正規開封状態を示す拡大斜視図。
【発明を実施するための形態】
【００１０】
以下、本発明の好適な一実施形態について説明する。図１に示すように、本実施形態の封止用シール１は、単片状で、合成樹脂フィルムや紙等からなるシール基材２に、これを各分割部２ａ，２ｂに二分するとともに、剥離開始端を形成する分割用ミシン目３を設けている。この分割用ミシン目３は、前記シール基材２を図４に示す容器４に貼付するときに、本体４ａと蓋４ｂの境Ｘに対応するように位置決めされるものである。
【００１１】
図１〜図３に示すように、シール基材２の裏面には粘着部たる粘着剤を塗布してなる粘着剤層５を設けている。この粘着剤層５の粘着力は、一旦容器４に貼付すると、通常の取り扱いでは容器４から剥離しないが、所定以上の力を与えると剥離可能に設定されている。この粘着剤層５によって、前記シール基材２の裏面に、分割用ミシン目３を跨ぐとともに、分割用ミシン目３とは反対側端部を除いて、各分割部２ａ，２ｂに対応するよう補助基材６を貼付している。この補助基材６には、前記分割用ミシン目３に対応位置して切断部たる切り用ミシン目７を設けている。
【００１２】
図１及び図２に示すように、補助基材６と粘着剤層５との間には、一旦剥離すると再貼付不能な層間剥離層８を、各分割部２ａ，２ｂに対応位置するように、前記補助基材６の切り用ミシン目７とは反対側端に沿って所定幅に及んで設けている。この層間剥離層８は透視可能で、前記補助基材６の表面側に印刷した「不正開封」なる注意表示９（図５参照）を視認することが可能である。また、前記補助基材６の裏面には、粘着部たる粘着剤を塗布してなる粘着剤層１０を設けている。この粘着剤層１０の粘着力も、粘着剤層５の粘着力と同様に設定している。前記粘着剤層１０及び補助基材６に対応していない基材シート２裏面の粘着剤層５を剥離紙１１で被覆している。
【００１３】
続いて、上述した封止用シール１の使用方法を説明する。封止用シール１は、裏面側の剥離紙１１を剥離し、露出した粘着剤層５，１０によって、図４に示すように、容器４の本体４ａと蓋４ｂにまたがるようにして貼付することができる。この時、分割用ミシン目３と切り用ミシン目７が、容器４の本体４ａと蓋４ｂとの境Ｘに対応するように位置決めされる。
【００１４】
図４状態において、分割用ミシン目３が破断されていれば、不正開封が試みられたことが視覚的に識別される。また、分割用ミシン目３を破断することなく、容器４の蓋４ｂを開けようとして、不正開封を試みた場合は、シール基材２の前記分割用ミシン目３とは反対側端をめくり上げることになる。すると、シール基材２の剥離部分が補助基材６に達した段階で、この補助基材６端に沿って設けた層間剥離層８においてシール基材２と前記補助基材６とが剥離し、前記シール基材２のみが容器４から剥離され、前記補助基材６は容器貼付面に残る状態となる。そして、図５に示すように、前記補助基材６に印刷した注意表示９が視認可能となる。ここで、一旦剥離された層間剥離層８は、再貼付不能で初期状態に復元することができないので、基材シート２を完全に除去すると否とに拘わらず、後述の正規開封した際に、不正開封したことを視覚的に容易に識別可能である。
【００１５】
一方、正規に開封する場合は、図４状態において、まず、シール基材２の分割用ミシン目３と補助基材６の切り用ミシン目７を破断するのであるが、各ミシン目３，７は本体４ａと蓋４ｂの境Ｘに対応位置しているので、指の爪などで前記境Ｘに沿って力を加えることにより、破断動作は容易になされる。次いで、この破断端を剥離開始端として、シール基材２をめくり上げると、図６に示すように、前記補助基材６も一緒にめくり上げられて、容器４から順次剥離されていく。そして、層間剥離層８部分に達しても、シール基材２と補助基材６は一体的に剥離され、次いで補助基材６に対応しない部分のシール基材２が剥離される。このようにして、各分割部２ａ，２ｂ毎に容器４からきれいに剥離される。
【００１６】
この正規の開封動作が終了した後に、層間剥離層８部分でシール基材２と補助基材６が剥離状態にあれば、不正開封されたことを意味することになり、前記剥離状態の視覚的確認は容易である。また、正規の開封動作にあっては、補助基材６とともにシール基材２を、各分割部２ａ，２ｂ毎に容器４からきれいに剥離することができ、容器４を再利用するときに、封止用シール１を貼付していた痕跡が残らないので、美感を損なうことなく使用可能である。
【００１７】
なお、本発明は、上述の実施形態に限定されるものではなく、例えば、封止用シール１は、単片状態ではなく、切り用ミシン目を介して連接する連続状態としたうえ、ロール状に巻回して構成してもよく、この場合には、シール基材２の粘着剤層５と反対面側に剥離剤層を設けることにより、剥離紙１１は不要になる。
【００１８】
また、補助基材６の切断部として、切り用ミシン目７に替えてスリットを採用すると、分割用ミシン目３を破断する際にスリットからなる破断部は破断する必要はないとともに、分割用ミシン目３の破断はスリットに沿って行なわれるので、前記分割用ミシン目３を容器４の本体４ａと蓋４ｂの境Ｘに対応位置させる必要はなく、封止用シール１を容器４に貼付する際の位置決めが容易になるとともに、剥離開始端の形成も容易なので、補助基材６をともなうシール基材２の剥離動作も容易となる。
【００１９】
さらに、補助基材６は２つの別体の補助基材６をそれぞれ分割部分に対応するよう設けてもよい。この場合、層間剥離層８と補助基材６は、補助基材６の分割用ミシン目３側端は層間剥離層８の一側端から延出し、補助基材６の分割用ミシン目３と反対側端は層間剥離層８の他側端と一致するように設ければよい。またさらに、シール基材２における補助基材６が存在しない分割用ミシン目３とは反対側端は、粘着剤層５を設ける必要がないとともに、シール基材２のみを容器４の貼付面から引き離す作用を奏し得る幅があればよい。
【符号の説明】
【００２０】
１      封止用シール
２      シール基材
２ａ，２ｂ      分割部
３      分割用ミシン目
４      容器
４ａ      本体
４ｂ      蓋
５，１０      粘着剤層
６      補助基材
７      切り用ミシン目
８      層間剥離層
９      注意表示
１１      剥離紙
【図１】
2011189971.tif 000003
【図２】
2011189971.tif 000004
【図３】
2011189971.tif 000005
【図４】
2011189971.tif 000006
【図５】
2011189971.tif 000007
【図６】
2011189971.tif 000008